(57)【特許請求の範囲】
【請求項１】
対向する一対の支柱間に大きさの異なる親扉と子扉からなる門扉を配置し、一方の支柱に親扉の吊元側の端部をヒンジ部を介して枢着し、他方の支柱に子扉の吊元側の端部を別のヒンジ部を介して枢着し、子扉の手先側の端部を固定手段にて固定すると共に親扉を開閉自在とし、親扉の平面視形状を直線状に形成し、子扉の平面視形状を屋内側に向けて突曲した曲線状又は屈曲状に形成し、親扉を閉じて子扉の手先側の端部に当接させた状態で門扉全体が上記両方のヒンジ部を結ぶ直線よりも平面視で屋内側に突曲するようにしたことを特徴とする門ユニットの構造。
【請求項２】
門扉にラッチを取り付け、門扉を閉じたときに該門扉と当接する部位にラッチを受けるストライクボックスを取り付けると共にストライクボックスの取付角度を可変自在としたことを特徴とする請求項１記載の門ユニットの構造。
【請求項３】
請求項１又は請求項２記載の門扉からの出入り方向と、門扉と建物玄関とを直線状に結ぶ方向とが平面視で非平行となるように門ユニットと建物玄関とを配置したことを特徴とする門ユニットと建物玄関との配置構造。
【発明の詳細な説明】
【０００１】
【発明の属する技術分野】
本発明は、門ユニットの構造及び該門ユニットと建物玄関との配置構造に関するものである。
【０００２】
【従来の技術】
従来の門ユニット１２’は、図７に示すように、対向する一対の支柱１，１間に、少なくとも片方が屋内側Ｂに開く二枚の門扉２’を配置し、各門扉２’の吊元側の端部を肘壷等のヒンジ部６を介して支柱１に吊り込み、手先側の端部に落とし棒、取手等を取り付けるようにしている。なお図中の６０はラッチ、１１はラッチを受けるストライクボックスである。
【０００３】
【発明が解決しようとする課題】
ところが、従来の門扉１２’は平面視で平らな面材からなり、このため、道路際に門扉２’が配置される場合にあっては、来客者との応対を門扉２’の屋外側Ａの道路上で行なっている場合が多く、危険であり、しかも人目にもつき易いという問題がある。
【０００４】
また従来では、門扉２’の正面に向けて建物玄関のドア等の開口部が配置される場合が
多く、このため門扉２’をあけて入ってくる人の視線及び動線が建物玄関１３に直接向けられるようになり、動線の変化や視線の変化をもたせる工夫がなされていないのが現状である。
【０００５】
本発明は、上記の従来例の問題点に鑑みて発明したものであって、その目的とするところは、門扉の屋外側に来客者との応対ができるアプローチ空間を設けることができ、従来のように道路上で来客者との応対をする危険をなくして安全性を高めることができ、他の目的とするところは、建物玄関のドア等の開口部を門扉の正面に正対させて配置したプランでも、門扉をあけて入ってくる人の視線及び動線を建物玄関から外す方向に変えることができる門ユニットの構造及び該門ユニットと建物玄関との配置構造を提供することにある。
【０００６】
【課題を解決するための手段】
上記課題を解決するために請求項１記載の発明にあっては、対向する一対の支柱１，１間に大きさの親扉３と子扉４からなる門扉２を配置し、一方の支柱１に親扉３の吊元側の端部２ａをヒンジ部６を介して枢着し、他方の支柱１に子扉４の吊元側の端部２ａを別のヒンジ部６を介して枢着し、子扉４の手先側の端部２ｂを固定手段にて固定すると共に親扉３を開閉自在とし、親扉３の平面視形状を直線状に形成し、子扉の平面視形状を屋内側Ｂに向けて突曲した曲線状又は屈曲状に形成し、親扉３を閉じて子扉４の手先側の端部２ｂに当接させた状態で門扉２全体が上記両方のヒンジ部６，６を結ぶ直線Ｌよりも平面視で屋内側Ｂに突曲するようにしたことを特徴としており、このように構成することで、親扉３と子扉４が屋内側Ｂに突曲した分だけ門扉２の屋外側Ａにスペースが生じ、このスペースを来客者との応対ができるアプローチ空間７として使用することができる。しかも、親扉３と子扉４が両側の支柱１，１と固定手段とで３点支持されるようになり、強度向上を図ることができると共に、開閉される親扉３の平面視形状を直線状に形成してあるので通常の平らな扉と同様に親扉３の開閉がし易くなる。
【０００７】
また請求項２記載の発明にあっては、請求項１において、門扉２にラッチを取り付け、該門扉２と隣接する別の門扉２の枠体１０又は支柱１の側面のいずれかにラッチを受けるストライクボックス１１を取り付けると共にストライクボックス１１の取付角度Ｃを可変自在としたことを特徴とするのが好ましく、この場合、支柱１，１間の開口幅Ｄが現場によって異なる場合でも、ラッチの挿入方向に合わせてストライクボックス１１の取付角度Ｃを変えることで、開口幅Ｄの違いに対応できるようになる。
【０００８】
また請求項３記載の発明は、請求項１又は請求項２記載の門扉２からの出入り方向Ｆと、門扉２と建物玄関１３とを直線状に結ぶ方向とが平面視で非平行となるように門ユニット１２と建物玄関１３とを配置したことを特徴としており、このように構成することで、建物玄関１３のドア等の開口部を門扉２の正面に向けて配置するプランであっても、門扉２をあけて入ってくる人の視線や動線Ｅを建物玄関１３から外す方向に変えることができる。
【０００９】
【発明の実施の形態】
以下、本発明を添付図面に示す実施形態に基づいて説明する。本実施形態の門ユニット１２は、図１に示すように、対向する一対の支柱１，１間に屋内側Ｂに開く両開き式の門扉２を配置している。本例では門扉２は大きさの異なる親扉３と子扉４とからなる。親扉３の面材９は平面視で直線状に形成されており、親扉３の吊元側の端部２ａがヒンジ部６を介して一方の支柱１に枢着されている。子扉４の面材９は平面視で屋内側Ｂに向けて突曲した曲線状に形成されており、子扉４の吊元側の端部２ａが別のヒンジ部６を介して他方の支柱１に枢着されている。ヒンジ部６は肘壷や丁番等で構成されており、特に限定されないものである。
【００１０】
ここでは、子扉４の手先側の端部２ｂが落とし棒（図示せず）によって固定されており、図１（ｂ）に示すように、親扉３を屋内側Ｂに開いて出入りができるようにしてある。また図１（ａ）に示すように、親扉３の手先側の端部２ｂを子扉４の手先側の端部２ｂに当接させることで、門扉２が閉じられるようになり、この閉じた状態では、門扉２全体が両方のヒンジ部６，６を結ぶ直線Ｌよりも平面視で屋内側Ｂに突曲しており、これにより
門扉２の屋外側Ａに来客者との応対ができるアプローチ空間７が形成されきるようになっている。
【００１１】
なお、子扉４の面材９は平面視で曲線状に形成されている場合に限らず、例えば、図２に示すように、平面視でく字状に屈曲した形状に形成されていてもよいものである。また、親扉３と子扉４の面材９の材質は特に限定されず、アルミ鋳物、形材、スチール、ステンレス、天然木等が使用される。
【００１２】
しかして、門扉２を閉じた状態で門扉２全体が平面視で屋内側Ｂに突曲するように門扉２を平面視で非直線状に形成したので、門扉２が屋内側Ｂに突曲した分だけ門扉２の屋外側Ａにスペースが生じ、このスペースを来客者との応対ができるアプローチ空間７として使用することができる。従って、従来のように道路上で応対する危険をなくすことができて安全であり、そのうえ人目につきにくいものとなる。
【００１３】
また本例では門扉２を大きさの異なる親扉３と子扉４とで構成し、子扉４の手先側の端部２ｂを落とし棒等で固定したので、門扉２が両側の支柱１，１と落とし棒とで３点支持されるようになり、門扉２全体の強度向上を図ることができる。また、開閉自在である親扉３の平面視形状を直線状に形成したので、通常の平らな扉と同様に、親扉３の開閉動作がしやすくなる。つまり、親扉３の平面視形状を曲線状にすると、特に敷地内から親扉３を開くときに親扉３が体に触れたりして開き難くなるが、開閉しない子扉４の方の平面視形状を曲線状とし、親扉３を平面視で直線状とすることで、開き操作がしやすくなり、使い勝手を良くすることができるものである。一方、子扉４の面材９を平面視で曲線状又は屈曲状に形成したことにより、アプローチ空間７の平面視形状に更に広がりをもたせることができるという利点がある。
【００１４】
なお、上記開閉される親扉３は、右開き仕様、左開き仕様のいずれであってもよい。また親扉３と子扉４の二枚扉を例示したが、同じ大きさの二枚扉であってもよい。さらに門扉２は二枚扉には限らず、三枚以上であってもよい。三枚扉の一例を図３に示す。図３（ａ）は一対の支柱１，１に左右二枚の子扉４，４をそれぞれヒンジ結合し、中央に配置した親扉３の一端部を一方の子扉４にヒンジ結合した場合の例を示している。この場合、左右の子扉４，４を平面視で屋内側Ｂに突曲させることによって、左右バランスのよいアプローチ空間７を形成することができる。また図３（ｂ）は３本の支柱１，１，１ａを設け、支柱１，１間に図１の実施形態と同様な親扉３と子扉４とを配置し、支柱１，１ａ間に、平面視で屋外側Ａに突曲した副子扉４ａを配置し、副子扉４ａの屋内側Ｂの面にポスト１５を取り付けた例を示している。この副子扉４ａは固定式或いは片開き式のいずれであってもよい。
【００１５】
図４、図５は、門扉２の枠体１０にラッチを受けるストライクボックス１１を取り付けると共に、その取付角度Ｃを可変自在とした場合の例を示している。ちなみに、従来では図７に示すように、門扉２’にラッチ６０を取り付け、門扉２’を閉じたときに当接する部位（二枚扉の場合は別の門扉、一枚扉の場合は支柱）にラッチ６０を受けるストライクボックス１１を設けるにあたって、ストライクボックス１１の向きは常に一定方向に向いて取り付けられている。しかも支柱１，１間の開口幅Ｄは現場によって異なっているため、ラッチ６０をストライクボックス１１に対して確実に施錠することができなくなる場合がある。この場合には従来では、門扉２’が鋳物の場合には現場で支柱１の開口幅Ｄを調整することで対応しており、形材の場合には門扉２’を特注品としたり、若しくは現品をカットするなどして対応している。
【００１６】
そこで、本例では、図４に示すように、門扉２の枠体１０にストライクボックス１１を取り付ける際にその取付角度Ｃが可変自在となるように取り付けるようにしている。ここにおいて枠体１０は例えば、アルミ鋳物、或いは鉄鋳物等からなり、この枠体１０の一部には前方に開口した略コ字状の凹所１６が設けられており、凹所１６内にストライクボックス１１を収納して固定できるようにしてある。
【００１７】
このストライクボックス１１は、四角筒状のボックス本体１１ａと、ボックス本体１１ａの上下両側に配置される上下一対の押さえブロック１１ｂとで構成される。ボックス本体１１ａは、例えばアルミ、亜鉛等の金属ダイキャスト、或いはＡＥＳ、ガラス入り樹脂などで構成され、一方、押さえブロック１１ｂは、例えば金属ダイキャスト或いは樹脂成形品等で構成されている。ボックス本体１１ａの前面にはラッチ挿入口１８を有するステンレス等のストライクプレート１９がネジ２０にて固定されている。ボックス本体１１ａの上面と上側の押さえブロック１１ｂとの対向面には、中心から放物線状に多数の凹凸ギヤが形成された一対の菊形歯車２１，２２が取り付けられており、またボックス本体１１ａの下面と下側の押さえブロック１１ｂとの対向面にも同様な菊形歯車２１，２２が取り付けられている。これら菊形歯車２１，２２は同軸上に配置されており、菊形歯車２１，２２の中心部にはそれぞれピン孔２３，２４が開口しており、ピン３０を押さえブロック１１ｂ側の菊形歯車２２のピン孔２３からボックス本体１１ａ側の菊形歯車２１のピン孔２４に挿入し、ピン３０をかしめることによって、上下の押さえブロック１１ｂとボックス本体１１ａとがピン３０を介して一体に連結することができる。ここでは、ピン３０は菊形歯車２１，２２の噛み合いを外すことができる範囲で押さえブロック１１ｂを上下移動可能となるようにかしめられている。
【００１８】
一方、枠体１０に設けられた凹所１６の上下両面には、上記押さえブロック１１ｂを受ける受けブロック１７がそれぞれ配置されている。上側の受けブロック１７と上側の押さえブロック１１ｂとの接触面には、前方程上方に傾斜した凹凸面２６，２７（図５）がそれぞれ設けられ、下側の受けブロック１７と下側の押さえブロック１１ｂとの接触面には、前方程下方に傾斜した凹凸面２６，２７（図５）が設けられている。そしてネジ２０を押さえブロック１１ｂのネジ孔４０から受けブロック１７のネジ孔４１に締め込むことで、押さえブロック１１ｂを受けブロック１７を介して凹所１６に固定する。この固定状態では、押さえブロック１１ｂとボックス本体１１ａの菊形歯車２１，２２同士が互いに噛み合った状態となり、ボックス本体１１ａが回転できない状態でボックス本体１１ａと押さえブロック１１ｂとが一体に凹所１６内に収納されて固定されるようになっている。
【００１９】
しかして、ストライクボックス１１の取付角度Ｃを変える場合は、ネジ２５を緩めてストライクボックス１１全体を凹所１６から少し引き出して、押さえブロック１１ｂを上下に動かして菊形歯車２１，２２の噛み合いを解除する。この状態でボックス本体１１ａをピン３０を中心に回転させてその取付角度Ｃを調整し、その後、ネジ２５を締め込むことによって、押さえブロック１１ｂがボックス本体１１ａに押し付けられて菊形歯車２１，２２が噛み合った状態となり、ストライクボックス１１を凹所１６内に戻して固定できるようになる。このようにしてストライクプレート１９の取付角度Ｃを任意に可変調整できるので、支柱１，１間の開口幅Ｄ（図１）が現場によって異なる場合でも、ラッチの挿入方向に合わせてストライクボックス１１の取付角度Ｃを変えるだけで、開口幅Ｄの違いに対応できるようになる。この結果、従来のように開口幅Ｄを変えたり、或いは門扉２のサイズを変えたりする必要がなくなり、現場での施工性を大幅に向上させることができるものである。
【００２０】
また本例では、押さえブロック１１ｂと受けブロック１７との凹凸面２６，２７を当接させているので、ネジ２５を締め付ける際にボックス本体１１ａの向きが勝手に回転するのを防止でき、ネジ２５の締め付けによって調整した取付角度Ｃにズレが生じる心配がなく、調整作業が容易になる。また、ストライクボックス１１全体を凹所１６から取り外すことなく、ネジ２５を緩めるだけで調整作業を行なうことができ、手間がかからないという利点もある。
【００２１】
なお上記実施形態では門扉２の枠体１０にストライクボックス１１を取り付ける場合を説明したが、支柱１側にストライクボックス１１を取り付ける場合にも上記図４、図５と同様な方法でストライクボックス１１を取付角度Ｃが可変自在となるようにして取り付けることができる。
【００２２】
次に、門ユニット１２と建物玄関１３との配置構造について説明する。図６（ａ）は建物玄関１３のドア等の開口部を門扉２の正面に向けて配置するプランにおいて、門扉２からの出入り方向Ｆと、親扉３と子扉４の両方のヒンジ部６，６を結ぶ直線Ｌと直交する方向Ｇ（門扉と建物玄関とを直線状に結ぶ方向）とが平面視で非平行となるように、門ユニット１２と建物玄関１３とを配置した場合の一例を示している。図６（ｂ）は従来の配置例を示している。本例では図６（ａ）に示すように、親扉３の開閉方向（出入り方向Ｆ）に向けて転換空間８が設けられており、門扉２をあけて入ってくる人の視線及び動線Ｅを建物玄関１３ではなく、転換空間８に向くようにしてある。ちなみに、門廻りから玄関までの間には、長短の差があっても転換空間８の存在は大切な要素であり、図６（ａ）の例では転換空間８によって動線Ｅが平面視で曲線状となるように設定されている。この転換空間８を通り抜けることによって建物敷地内でガーデニング等による楽しさを十分に演出させたり、精神的にも安堵感を与えたりできるようになる。一方、図６（ｂ）の場合は門扉２’の平面視形状が直線状であり、動線Ｅが建物玄関１３に正対しているため、図６（ａ）のような動線Ｅを変える効果は得られない。なお図６（ａ）において動線Ｅの方向は必ずしも平面視で曲線状には限らず、例えば屈曲状であってもよいものであり、また転換空間８の配置も適宜設計変更自在である。
【００２３】
【発明の効果】
上述のように請求項１記載の発明にあっては、対向する一対の支柱間に大きさの異なる親扉と子扉からなる門扉を配置し、一方の支柱に親扉の吊元側の端部をヒンジ部を介して枢着し、他方の支柱に子扉の吊元側の端部を別のヒンジ部を介して枢着し、子扉の手先側の端部を固定手段にて固定すると共に親扉を開閉自在とし、親扉の平面視形状を直線状に形成し、子扉の平面視形状を屋内側に向けて突曲した曲線状又は屈曲状に形成し、親扉を閉じて子扉の手先側の端部に当接させた状態で門扉全体が上記両方のヒンジ部を結ぶ直線よりも平面視で屋内側に突曲するようにしたので、門扉が屋内側に突曲した分だけ門扉の屋外側にスペースが生じ、このスペースを来客者との応対ができるアプローチ空間として使用することができる。これにより、従来のように道路上で立ちながら応対する危険をなくすことができ、安全性を高めることができる。しかも親扉と子扉とからなる門扉が、両側の支柱と固定手段とで３点支持されるようになり、門扉全体の強度向上を図ることができると共に、開閉する親扉の平面視形状を直線状にすることで、通常の平らな扉と同様、親扉の開閉がしやすくなり、安全性に加えて、使い勝手を良くすることができる。
【００２４】
また請求項２記載の発明にあっては、請求項１記載の効果に加えて、門扉にラッチを取り付け、門扉を閉じたときに該門扉と当接する部位にラッチを受けるストライクボックスを取り付けると共にストライクボックスの取付角度を可変自在としたので、支柱間の開口幅が現場によって異なる場合でも、ラッチの挿入方向に合わせてストライクボックスの取付角度を変えることで開口幅の違いに対応できるようになる。従って、従来のように開口幅を変えたり或いは門扉のサイズを変えたりする必要がないため、現場の施工性を大幅に向上させることができるものである。
【００２５】
また請求項３記載の発明は、請求項１又は請求項２記載の門扉からの出入り方向と、門扉と建物玄関とを直線状に結ぶ方向とが平面視で非平行となるように門ユニットと建物玄関とを配置したので、建物玄関のドア等の開口部を門扉の正面に向けて配置するプランであっても、門扉をあけて入ってくる人の視線や動線を建物玄関から外す方向に変えることができる。例えば動線を敷地内の転換空間に向けることで、転換空間を通り抜ける際にガーデニング等による楽しさを十分に演出させたり、精神的にも安堵感を与えたりすることができる。
【図面の簡単な説明】
【図１】本発明の実施形態の一例を説明し、（ａ）は門扉を閉じた状態の平面図、（ｂ）は開いた状態の平面図である。
【図２】同上の門扉の変形例を説明する平面図である。
【図３】（ａ）（ｂ）は同上の門扉の他の変形例を示す平面図である。
【図４】同上のストライクボックスの分解斜視図である。
【図５】（ａ）は同上のストライクボックスの取り付け前の側面断面図、（ｂ）は取り付け後の側面断面図である。
【図６】（ａ）は本発明の動線を変える場合を説明する平面図、（ｂ）は動線が変化しない場合を説明する平面図である。
【図７】従来例を説明する平面図である。
【符号の説明】
１  支柱
２  門扉
２ａ  吊元側の端部
２ｂ  手先側の端部
３  親扉
４  子扉
５  戸当たり部
６  ヒンジ部
７  アプローチ空間
８  転換空間
１０  枠体
１１  ストライクボックス
１２  門ユニット
１３  建物玄関
Ａ  屋外側
Ｂ  屋内側
Ｃ  取付角度
Ｅ  動線
Ｌ  直線
【図１】
0003632642.tif 000002
【図２】
0003632642.tif 000003
【図３】
0003632642.tif 000004
【図４】
0003632642.tif 000005
【図５】
0003632642.tif 000006
【図６】
0003632642.tif 000007
【図７】
0003632642.tif 000008